(57)【特許請求の範囲】
【請求項１】
鋼製フレームの骨組みを有し離間対向して設置されるユニットからなる複数の建物本体と、
前記複数の建物本体間に設けられた現場打ちの鉄筋コンクリートスラブと
を有する混構造式建物であって、
前記鉄筋コンクリートスラブは内側に向かって開口された断面コ字型を呈し前記建物本体に結合されるフレームを端部に備え、鉄筋コンクリートスラブの下方には建物本体に着脱可能に取り付けられる仮梁が複数配置され、これらの仮梁の上面に鉄筋コンクリートスラブの床型枠が支持されることを特徴とする混構造式建物。
【請求項２】
請求項１に記載の混構造式建物において、
前記建物本体のユニットは直方体状の建物ユニットを有し、前記建物ユニット間でかつ当該建物ユニットの上端部または上端部近傍に、前記鉄筋コンクリートスラブのフレームが結合されることを特徴とする混構造式建物。
【請求項３】
鋼製フレームの骨組みを有するユニットを横方向に所定の間隔で対向配置して複数の建物本体を構築し、
次に、これら建物本体に鉄筋コンクリートスラブの端部を形成し内側に向かって開口された断面コ字型を呈するフレームを結合するとともに、これら建物本体間に着脱可能に取り付けられる複数の仮梁の上面に鉄筋コンクリートスラブの床型枠を支持させた後、コンクリートを打設することを特徴とする混構造式建物の施工方法。
【請求項４】
請求項３に記載の混構造式建物の施工方法において、
前記建物本体のユニットは直方体状の建物ユニットを有し、前記鉄筋コンクリートスラブのフレームを当該建物ユニットの上端部または上端部近傍に連結することを特徴とする混構造式建物の施工方法。
【発明の詳細な説明】
【技術分野】
【０００１】
本発明は、直方体状の骨組みを有する複数の建物本体と鉄筋コンクリートスラブとを有する混構造式建物および混構造式建物の施工方法に関する。
【背景技術】
【０００２】
上階と下階からなり間隔をおいて対向配置した建物本体間を床パネルで連結する混構造式建物の施工方法の一例として、特許文献１に記載の技術が知られている。
この技術は、対向して配置した１階建物ユニットの上端部にジョイントビームを固定した後、１階建物ユニットの上端部間に鋼製床パネルを設置するものである。鋼製床パネルは、ウェブおよびフランジを有する複数の鋼製溝型材を床面材に固定して形成されており、鋼製溝型材の四隅を前記ジョイントビームとボルト，ビス，釘等によって固定する。
【先行技術文献】
【特許文献】
【０００３】
【特許文献１】特開２００４−２５０９１５号公報
【発明の概要】
【発明が解決しようとする課題】
【０００４】
ところで、上記のような従来の建物の施工方法では、離間対向して配置された建物ユニットにジョイントビームを固定したうえで、建物ユニット間に鋼製床パネルを配置し、この鋼製床パネルの鋼製溝型材の四隅を前記ジョイントビームとボルト、ビス、釘等によって固定する必要があるので、施工に手間がかかるとともに、ジョイントビームや鋼製床パネル等の寸法精度の高い部材を要し、コストがかかるという問題があった。
【０００５】
本発明は上記事情に鑑みてなされたもので、施工が容易でかつジョイントビームや鋼製床パネル等の寸法精度の高い部材を要しない混構造式建物および混構造式建物の施工方法を提供することを課題としている。
【課題を解決するための手段】
【０００６】
上記課題を解決するために、請求項１に記載の発明は、例えば図１〜図７に示すように、鋼製フレームの骨組みを有し離間対向して設置されるユニットからなる複数の建物本体１，１と、
前記複数の建物本体１，１間に設けられた現場打ちの鉄筋コンクリートスラブ１１，１２とを有する混構造式建物であって、
前記鉄筋コンクリートスラブ１１，１２は内側に向かって開口された断面コ字型を呈し前記建物本体に結合されるフレーム１１ａを端部に備え、鉄筋コンクリートスラブの下方には建物本体１，１に着脱可能に取り付けられる仮梁１５が複数配置され、これらの仮梁の上面に鉄筋コンクリートスラブの床型枠１６が支持されることを特徴とする。
【０００７】
請求項１に記載の発明によれば、建物本体１，１間に鉄筋コンクリートスラブ１１，１２が設けられているので、施工が容易でかつジョイントビームや鋼製床パネル等の寸法精度の高い部材を要せず、その分、コストを抑えることができる。
また、前記鉄筋コンクリートスラブ１１の端部にフレーム１１ａが設けられ、このフレーム１１ａを当該建物本体１，１に連結することにより、フレーム１１ａにより前記鉄筋コンクリートスラブ１１の端部を支持するため、前記鉄筋コンクリートスラブ１１を当該建物本体１，１に容易かつ強固に接合できる。よって、前記鉄筋コンクリートスラブ１１の端部にフレーム１１ａを設けない場合に比べて、当該建物ユニット１，１の上端部または上端部近傍と前記鉄筋コンクリートスラブ１１との接合部の構造を強化できる。
【０００８】
請求項２に記載の発明は、例えば図１〜図７に示すように、請求項１に記載の混構造式建物において、
前記建物本体１のユニットは直方体状の建物ユニット１を有し、前記建物ユニット１，１間でかつ当該建物ユニット１，１の上端部または上端部近傍に、前記鉄筋コンクリートスラブ１１，１２のフレームが結合されることを特徴とする。
【０００９】
請求項２に記載の発明によれば、建物ユニット１，１間でかつ当該建物ユニット１の上端部または上端部近傍に、鉄筋コンクリートスラブ１１，１２が設けられているので、施工が容易でかつジョイントビームや鋼製床パネル等の寸法精度の高い部材を要せず、その分、コストを抑えることができる。
また、工場等で水周りや階段等の取付けに手間のかかる部品を建物ユニット１に取り付けておくことによって、現場での施工が容易となる。
さらに、建物全体を鉄筋コンクリート造りとする場合に比して、工期の短縮化を図ることができる。
【００１２】
請求項３に記載の発明は、例えば図１〜図７に示すように、
混構造式建物の施工方法において、
鋼製フレームの骨組みを有するユニットを横方向に所定の間隔で対向配置して複数の建物本体１，１を構築し、
次に、これら建物本体１，１に鉄筋コンクリートスラブのフレーム１１ａを結合するとともに、建物本体１，１間に着脱可能に取り付けられる仮梁１５で床型枠を支持した後、コンクリートを打設することを特徴とする。
【００１３】
請求項３に記載の発明によれば、横方向に所定の間隔で対向配置された建物ユニット１，１間に、鉄筋コンクリートスラブ１１，１２をその端部を建物ユニット１に連結した状態に設けるので、施工が容易でかつジョイントビームや鋼製床パネル等の寸法精度の高い部材を要せず、その分、コストを抑えることができる。
また、工場等で水周りや階段等の取付けに手間のかかる部品を建物ユニットに取り付けておくことによって、現場での施工が容易となる。
さらに、建物全体を鉄筋コンクリート造りとする場合に比して、工期の短縮化を図ることができる。
【００１４】
請求項４に記載の発明は、例えば、図４および図５に示すように、
請求項３に記載の混構造式建物の施工方法において、
前記建物本体１は直方体状の建物ユニットを有し、前記鉄筋コンクリートスラブ１１，１２の端部にフレーム１１ａを設け、このフレーム１１ａを当該建物ユニット１の上端部または上端部近傍に連結することを特徴とする。
【００１５】
請求項４に記載の発明によれば、前記鉄筋コンクリートスラブ１１の端部にフレーム１１ａを設け、このフレーム１１ａを当該建物ユニット１，１の上端部または上端部近傍に連結することにより、フレーム１１ａにより前記鉄筋コンクリートスラブ１１の端部を支持するため、前記鉄筋コンクリートスラブ１１を当該建物ユニット１，１に容易かつ強固に接合できる。よって、前記鉄筋コンクリートスラブ１１の端部にフレーム１１ａを設けない場合に比べて、当該建物ユニット１，１の上端部または上端部近傍と前記鉄筋コンクリートスラブ１１との接合部の構造を強化できる。
【発明の効果】
【００１６】
本発明によれば、施工が容易でかつジョイントビームや鋼製床パネル等の寸法精度の高い部材を要しない混構造式建物および混構造式建物の施工方法を提供することができる。
しかも、鉄筋コンクリートスラブの端部をフレームで建物本体に支持し、建物本体間に着脱可能に取り付けられる仮梁を利用して床型枠を支持しているので、現場打ちの鉄筋コンクリートスラブを採用した構造としても、鉄筋コンクリートスラブの接合強度を確保でき、構造が複雑になることもない。
【図面の簡単な説明】
【００１７】
【図１】本発明に係る混構造式建物の一例を示すもので、その外観を示す正面図である。
【図２】同、直方体状の建物ユニットと直方体状の建物ユニット間に設けられる鉄筋コンクリートスラブの配置を示す斜視図である。
【図３】同、（ａ）は１階の平面図、（ｂ）は２階の平面図である。
【図４】同、（ａ）は２階の床部を示す平面図、（ｂ）はその正面図、（ｃ）は図４（ｂ）のＡ部およびＢ部の拡大図であり、（ｄ）はＩ−Ｉ断面図である。
【図５】同、（ａ）は２階の床部を示す平面図、（ｂ）はその正面図、（ｃ）は図５（ｂ）のＡ部およびＢ部の拡大図であり、（ｄ）はＩ−Ｉ断面図である。
【図６】同、建物ユニットの骨組を示す斜視図である。
【図７】本発明に係る混構造式建物の第２の他の例を示すもので、その骨組構造を示す正面図である。
【図８】同、嵩上げユニットを上下の建物ユニットに連結する方法を説明するための斜視図である。
【図９】本発明に係る混構造式建物の他の例を示すもので、その骨組構造を示す正面図である。
【図１０】本発明に係る混構造式建物の他の例を示すもので、その骨組構造を示す正面図である。
【発明を実施するための形態】
【００１８】
以下、図面を参照して本発明の実施の形態について説明する。なお、本発明に係る混構造式建物１００の建物本体１の望ましい一例として、混構造式建物の建物ユニットについて説明するが、これに限られるものではない。
【００１９】
（第１の実施の形態）
本実施の形態の混構造式建物１００は、図１〜図３に示すように、直方体状の骨組みを有する９個の建物ユニット１と鉄筋コンクリートスラブ１１とを有する２階建ての建物である。
建物ユニット１は、図６に示すように、４本の柱２と、これらの柱２の上端間どうしを結合する４本の天井梁３と、柱２の下端間どうしを結合する４本の床梁４とを備えている。
４本の天井梁３は、２本の長辺天井梁３ａおよび長辺天井梁３ａより短い２本の短辺天井梁３ｂによって構成されている。４本の床梁４は２本の長辺床梁４ａおよび長辺床梁４ａより短い２本の短辺床梁４ｂによって構成されている。なお、柱２は正方形筒状に形成されており、天井梁３と床梁４は、それぞれ断面コ字型に形成されている。
【００２０】
２本の長辺天井梁３ａ，３ａには、複数の天井小梁５が架設されており、該天井小梁５は長辺天井梁３ａの長手方向に所定間隔で設けられている。これら天井小梁５の下面には天井板６が固定されている。
２本の長辺床梁４ａ，４ａには、複数の根太７が架設されており、該根太７は長辺床梁４ａの長手方向に所定間隔で設けられている。これら根太７の上面には床板８が固定されている。
なお、柱２の上端部と天井梁３の端部とは柱頭接合部材９によって接合され、柱２の下端部と床梁４の端部とは柱脚接合部材１０によって接合されている。
【００２１】
建物ユニット１は、図１〜図３において、１階の左側に２個、１階の右側に３個、２階の左側に２個、２階の右側に２個配置されている。１階には、２個の建物ユニット１，１をその長辺天井梁３ａの長手方向に連設したものが、左右一対離間して扇状に配置されている。これによって、左右（横方向）の建物ユニット１，１は所定の間隔で対向配置されている。なお、1階の右側奥には、エントランス１ａ、ベッドルーム１ｂ、シャワーおよびトイレルーム１ｃのための建物ユニット１Ａが配置されている。
２階には、１階と同様に、２個の建物ユニット１，１をその長辺天井梁３ａの長手方向に連設したものが、左右一対離間して配置されている。これによって、左右（横方向）の建物ユニット１，１は所定の間隔で対向配置されている。
また、１階の４個の建物ユニット１・・・と、２階の４個の建物ユニット１・・・とは平面視において同位置に配置され、これによって、１階の４個の建物ユニット１上に、２階の４個の建物ユニット１・・・が設置されたうえで連結されている。
【００２２】
図４（ｂ）に示すように、建物を設置すべき地盤には基礎１３が設けられている。この基礎１３上に１階の建物ユニット１が設置されている。なお、基礎１３には図示しないアンカーボルトが、その上端部を基礎１３から上方に突出させて埋設されており、このアンカーボルトの上端部が建物ユニット１の柱脚接合部材１０に連結されている。これによって、１階の建物ユニット１は基礎１３に強固に設置固定されている。
【００２３】
基礎１３に設置されて、左右に所定間隔で対向配置された建物ユニット１，１間でかつ当該建物ユニット１の上端部には、以下のようにして前記鉄筋コンクリートスラブ１１の端部が設けられている。
すなわち、図４（ａ）に示すように、互いに離間対向する１階の建物ユニット１，１の長辺天井梁３ａ，３ａ間（なお、図４（ｂ）および図４（ｃ）においては、柱頭接合部材９,９間）には、仮梁１５が長辺天井梁３ａの長手方向に所定間隔で複数本配置されており、この仮梁１５の端部はボルト１４ａとナット１４ｂによって長辺天井梁３ａに着脱可能に取り付けられている。仮梁１５の上面は長辺天井梁３ａの上面と面一になっている。なお、仮梁１５は互いに対向する建物ユニット１，１の柱頭接合部材９，９間にも配置されおり、同様にして着脱可能に取り付けられている。
仮梁１５上には合板等によって形成された床型枠１６が設置されており、この床型枠１６は仮梁１５によって下方から支持されている。床型枠１６はその上面が２階の長辺床梁４ａの下面と面一となっており、長辺天井梁３ａの長手方向（図４において紙面と直交する方向）における端部には、図示しない堰き止め板が設けられている。
【００２４】
２階の建物ユニット１の長辺床梁４ａの外側面にはフレーム１１ａを長辺床梁４ａの長手方向に沿って設ける。建物ユニット１の下端部（１階の建物ユニットの上端部）である長辺床梁４ａとフレーム１１ａは、ボルト１４ａとナット１４ｂによりボルト結合されている。更に、断面コ字型のフレーム１１ａは、前記鉄筋コンクリートスラブ１１の端部を覆うようにフレーム１１ａの凹部がスラブ筋側を向いて配置されている。また、図４（ｄ）に示すように、図４（ａ）のＩ−Ｉ断面図に示す断面コ字型のフレーム１１ａはボルト接合され、２つのフレーム１１ａの両端部が建物ユニット１，１に固定されている。
【００２５】
床型枠１６の上方には、スラブ筋１８が平面視において縦横交差して複数配置されている。なお、縦横に交差するスラブ筋１８どうしは番線等によって結束される。
そして、２階の互いに対向する建物ユニット１，１の長辺床梁４ａ，４ａと、堰き止め板を有する床型枠１６とで囲まれた部分には、コンクリート１９が現場で打設されている。このようにして、左右に所定間隔で対向配置された１階の建物ユニット１，１間でかつ当該建物ユニットの上端部に、フレーム１１ａが設けられた鉄筋コンクリートスラブ１１が施工される。
なお、前記仮梁１５はそのまま残しておいてもよいし、鉄筋コンクリートスラブ１１の強度発現後、ボルト１４ａを緩めて取り外してもよい。
【００２６】
本実施の形態によれば、横方向に所定の間隔で対向配置された建物ユニット１，１間でかる当該建物ユニット１の上端部に、鉄筋コンクリートスラブ１１が設けられているので、施工が容易でかつ従来のジョイントビームや鋼製床パネル等の寸法精度の高い部材を要せず、その分、コストを抑えることができる。
また、工場等で水周り２６や階段２７等の取付けに手間のかかる部品を建物ユニットに取り付けておくことによって、現場での施工が容易となる。
さらに、建物全体を鉄筋コンクリート造りとする場合に比して、工期の短縮化を図ることができる。
また、前記鉄筋コンクリートスラブ１１の端部にフレーム１１ａが設けられ、このフレーム１１ａを当該建物ユニット１，１の上端部または上端部近傍に連結することにより、フレーム１１ａにより前記鉄筋コンクリートスラブ１１の端部を支持するため、前記鉄筋コンクリートスラブ１１を当該建物ユニット１，１に容易かつ強固に接合できる。よって、前記鉄筋コンクリートスラブ１１の端部にフレーム１１ａを設けない場合に比べて、当該建物ユニット１，１の上端部または上端部近傍と前記鉄筋コンクリートスラブ１１との接合部の構造を強化できる。
【００２７】
（変形例）
図４では、２個の建物ユニット１，１をその長辺天井梁３ａの長手方向に連設したものが、左右一対離間して扇状に配置された場合について説明した。これに限らす、図５に示すように、２個の建物ユニット１，１をその長辺天井梁３ａの長手方向に並設したものが、それぞれ左右一対離間して平行に配置された場合も、上記実施の形態で説明したように、前記建物ユニット１，１間でかつ当該建物ユニット１，１の上端部または上端部近傍に、前記鉄筋コンクリートスラブ１１の端部を設けることができる。また、図５（ｄ）に示すように、図５（ａ）のＩ−Ｉ断面図に示す断面コ字型のフレーム１１ａはボルト接合され、２つのフレーム１１ａの少なくともいずれか一方が建物ユニット１，１に固定されている。
【００２８】
（混構造式建物の施工方法）
次に、上記のように構成された混構造式建物の施工方法について、図２，図４および図６を参照して説明する。
【００２９】
まず、建物を設置すべき場所に基礎１３を施工した後、その基礎１３上に、１階の建物ユニット１，１を横方向に所定間隔で対向配置して固定する。
【００３０】
次に、互いに離間対向する１階の建物ユニット１，１の長辺天井梁３ａ，３ａ間および互いに対向する柱頭接合部材９，９間に仮梁１５を配置したうえで、この仮梁１５の端部を長辺天井梁３ａ，３ａおよび柱頭接合部材９，９に着脱可能に取り付ける。
【００３１】
次に、１階の建物ユニット１上に２階の建物ユニット１を設置し、これらを連結ボルト等によって連結する。
【００３２】
次に、１階の建物ユニット１，１どうしの上端部間に、鉄筋コンクリートスラブ１１を以下のようにして設ける。
すなわち、図４に示すように、互いに離間対向する１階の建物ユニット１，１の長辺天井梁３ａ，３ａ間および柱頭接合部材９，９間に、仮梁１５を長辺天井梁３ａの長手方向に所定間隔で複数本配置したうえで、この仮梁１５の端部をボルト１４ａとナット１４ｂによって長辺天井梁３ａおよび柱頭接合部材９，９に着脱可能に取り付ける。そして、２階の建物ユニット１の長辺床梁４ａの外側面に、断面コ字型のフレーム１１ａを長辺床梁４ａの長手方向に沿って設ける。２階の建物ユニット１の下端部（１階の建物ユニット１の上端部）である長辺床梁４ａとフレーム１１ａを、ボルト１４ａとナット１４ｂによりボルト結合する。ここで、断面コ字型のフレーム１１ａは、鉄筋コンクリートスラブ１１の端部を覆うようにフレーム１１ａの凹部がスラブ筋側を向いて配置されている。
【００３３】
次に、仮梁１５上に床型枠１６を設置し、さらに、床型枠１６の上方に、スラブ筋１８を平面視において縦横に交差して複数配置する。
次に、２階の互いに対向する建物ユニット１，１の長辺床梁４ａ，４ａと、堰き止め板を有する床型枠１６とで囲まれた部分に、コンクリート１９を現場で打設することによって、建物ユニット１，１間でかつ当該建物ユニット１の上端部に鉄筋コンクリートスラブ１１を施工する。次に、互いに離間対向する２階の建物ユニット１，１上に屋根ユニット１Ｂ等を設置する。なお、鉄筋コンクリートスラブ１１の強度発現後、仮梁１５をボルト１４ａを緩めて取り外す。
【００３４】
（第２の実施の形態）
図７および図８は本発明の第２の実施の形態を示すものである。
これらの図に示す混構造式建物が、前記第１の実施の形態の混構造式建物と異なる点は、建物ユニット１の上面に嵩上げユニット３０が設けられ、建物ユニット１，１間でかつ嵩上げユニット３０の上端部（建物ユニットの上端部近傍）に、鉄筋コンクリートスラブ１１，１２が設けられている点であるので、以下ではこの点について詳しく説明し、第１の実施の形態と同一構成要素には、同一符号を付してその説明を簡略化ないし省略する。
【００３５】
図７に示すように、１階の建物ユニット１の上面に嵩上げユニット３０が設けられ、この嵩上げユニット３０の上面に２階の建物ユニット１が設けられている。
この嵩上げユニット３０は、平面視における形状が建物ユニット１と等しい矩形枠状のものであり、４本の嵩上部材３１と、これら嵩上部材３１どうしを連結する４本の連結梁３２とを備えている。
【００３６】
嵩上部材３１は、有底四角筒状に形成されており、その断面形状は建物ユニット１の柱２の断面形状と等しくなっている。また、嵩上部材３１の高さは、建物ユニット１の天井梁３や床梁４の梁成より高くなっている。さらに、嵩上部材３１の底部には、図８に示すように、４つの貫通孔３１ａ・・・が形成されている。
連結梁３２は、断面コ字型に形成されており、断面形状は建物ユニット１の天井梁３や床梁４の断面形状と等しくなっている。
【００３７】
１階の建物ユニット１の柱頭接合部材９の上面部には、４つの貫通孔９ａ・・・が前記４つの貫通孔３１ａ・・・と同軸に形成されている。また、２階の建物ユニット１の柱脚接合部材１０の下面部には、４つの貫通孔１０ａ・・・が前記４つの貫通孔３１ａ・・・と同軸に形成されている。
１階の建物ユニット１の柱頭接合部材９の上面には、嵩上げユニット３０の嵩上部材３１が設置され、この嵩上部材３１の上面に、２階の建物ユニット１の柱脚接合部材１０の下面が設置されている。そして、長尺な連結ボルト３３ａが同軸に配置された貫通孔１０ａ，３１ａ，９ａに上方から挿通され、当該連結ボルト３３ａの下端部にナット３３ｂが螺合して締め付けられている。これによって、嵩上部材３１は、上下の建物ユニット１，１の柱脚接合部材１０と柱頭接合部材９とに挟み付けられて、これらの間に強固に固定されている。
【００３８】
図７に示すように、２階の建物ユニット１の上面にも、嵩上げユニット３０が同様にして設けられているが、この嵩上ユニット３０の嵩上部材３１の上面開口には図示しない蓋部材がはめ込まれている。
そして、前記連結ボルト３３ａより短い図示しない連結ボルトが同軸に配置された貫通孔３１ａ，９ａに上方から挿通され、当該連結ボルトの下端部にナットが螺合して締め付けられている。これによって、嵩上部材３１は、２階の建物ユニット１の柱頭接合部材９に強固に固定されている。なお、連結ボルトを貫通孔３１ａ，９ａに挿通する場合、前記蓋部材を外したうえで、嵩上部材３１の上方から挿入し、ナットを螺合して締め付けた後、蓋部材を嵩上部材３１の上端開口にはめ込む。
【００３９】
前記第１の実施の形態では、１階上部に設けられた仮梁１５は互いに離間対向する１階の建物ユニット１，１の長辺天井梁３ａ，３ａ間に設けられているが、本実施の形態では、仮梁１５は互いに離間対向する嵩上げユニット３０，３０の連結梁３２，３２間にこの連結梁３２の長手方向に所定間隔で複数本配置されており、この仮梁１５の端部はボルトとナットによって連結梁３２に着脱可能に取り付けられている。仮梁１５の上面は嵩上ユニット３０の嵩上部材３１の上面と面一になっている。なお、仮梁１５は互いに対向する嵩上部材３１，３１間にも配置されており、同様にして着脱可能に取り付けられている。
仮梁１５上には、前記床型枠１６と同形状の図示しない床型枠が設置されており、この床型枠は仮梁１５によって下方から支持されている。
【００４０】
床型枠の上方には、図示しないスラブ筋が平面視において縦横に交差して複数配置されており、左右に長尺なスラブ筋の端部は２階の建物ユニット１の長辺床梁４ａの側面に沿って設けられたフレーム１１ａによって支持されている。なお、２階の建物ユニット１の下端部（１階の建物ユニットの上端部近傍）である長辺床梁４ａとフレーム１１ａは、ボルト１４ａとナット１４ｂによりボルト結合されている。更に、断面コ字型のフレーム１１ａは、前記鉄筋コンクリートスラブ１１の端部を覆うようにフレーム１１ａの凹部がスラブ筋側を向いて配置されている。
【００４１】
そして、２階の互いに対向する建物ユニット１，１の長辺床梁４ａ，４ａと、堰き止め板を有する床型枠とで囲まれた部分に、コンクリートが現場で打設されている。このようにして、建物ユニット１，１間でかつ嵩上げユニット３０の上端部に、鉄筋コンクリートスラブ１１が設けられている。
なお、前記仮梁１５はそのまま残しておいてもよいし、鉄筋コンクリートスラブ１１の強度発現後、ボルトを緩めて取り外してもよい。
【００４２】
また、本実施の形態では、２階上部に設けられた仮梁１５は互いに離間対向する嵩上げユニット３０，３０の連結梁３２，３２間にこの連結梁３２の長手方向に所定間隔で複数本配置されており、この仮梁１５の端部はボルトとナットによって連結梁３２に着脱可能に取り付けられている。仮梁１５の上面は嵩上げユニット３０の嵩上部材３１の上面と面一になっている。なお、仮梁１５は互いに対向する嵩上部材３１，３１間にも配置されおり、同様にして着脱可能に取り付けられている。
【００４３】
仮梁１５上には前記床型枠１６と同形状の図示しない床型枠が設置されており、この床型枠は仮梁１５によって下方から支持されている。床型枠は２階の嵩上げユニット３０の上面に延出され、その端部は嵩上げユニット３０の外側の連結梁３２上に位置している。
床型枠の上方には、図示しないスラブ筋が平面視において縦横に交差して複数配置されており、床型枠の上面には防水シートが敷設されている。
そして、床型枠内には、コンクリートが現場で打設されている。このようにして、左右に所定間隔で対向配置された２階の建物ユニット１，１間でかつ嵩上げユニット３０の上端部に鉄筋コンクリートスラブ１２が設けられており、この鉄筋コンクリートスラブ１２は、２階の嵩上げユニット３０の上面を覆っている。
なお、前記仮梁１５はそのまま残しておいてもよいし、鉄筋コンクリートスラブ１２の強度発現後、ボルトを緩めて取り外してもよい。
【００４４】
上記のように構成された混構造式建物は、１階および２階の建物ユニット１の上面に嵩上げユニット３０を設置する点、離間対向する嵩上ユニット３０，３０間に仮梁１５を設ける点、鉄筋コンクリートスラブ１２を設ける点が第１の実施の形態の混構造式建物と施工方法が異なり、その他の施工方法は同様である。
【００４５】
本実施の形態によれば、第１の実施の形態に記載の効果に加えて、建物ユニット１の上面に設けられた嵩上げユニット３０の上端部または上端部近傍に、鉄筋コンクリートスラブ１１，１２が設けられているので、その分、１階および２階の天井高を高くすることができる。
また、建物の天井高を高くするために建物ユニット１を高くすると、高さ制限によってトラック等で搬送できなくなる場合があるが、本実施の形態では、建物ユニット１と嵩上げユニット３０を搬送して、これらを現場で組み立てることによって天井高の高い建物を容易に施工できる。
【００４６】
なお、本実施の形態では、１階の上端部および２階の上端部の双方において、嵩上げユニット３０の連結梁３２と、建物ユニット１の天井梁３とが上下に近接して配置されるが、建物ユニット１と嵩上げユニット３０とは強固に連結されて一体化されているので、建物ユニット１の天井梁３は省略してもよい。
この場合、建物ユニット１の４本の柱２の上端部に、嵩上げユニット３０の４本の嵩上部材３１を設置して固定すればよい。
なお、建物ユニット１の天井梁３を省略する場合、トラック等での搬送や、現場でのクレーン等による設置の際に、建物ユニット１が不安定になるおそれがあるので、建物ユニット１の上端部に、天井梁３と同等の治具梁を着脱可能に取り付けておき、建物ユニット１の設置後、治具梁を取り外すのが望ましい。
【００４７】
さらに、本実施の形態では、２階の建物ユニット１，１間でかつ当該建物ユニットの上端部に平板状の鉄筋コンクリートスラブ１２を設けたが、これに限ることなく、図１に示すように、建物ユニット１，１間でかつ当該建物ユニットの上端部に、切妻屋根状の鉄筋コンクリートスラブ１２を設けてもよい。
【００４８】
（第３の実施の形態）
図９は本発明の第３の実施の形態を示すものである。
この図に示す混構造式建物が、前記第２の実施の形態の混構造式建物と異なる点は、建物ユニット１，１間でかつ嵩上げユニット３０，３０間に、鉄筋コンクリートスラブ１１が設けられている点である。その他の構成は、第２の実施の形態と同一であるため、同一符号を付してその説明を省略する。
【００４９】
本実施の形態によれば、２階のリビング等の居室等の天井を高くできるという利点がある。
【００５０】
（第４の実施の形態）
図１０は本発明の第４の実施の形態を示すものである。
この図に示す混構造式建物が、前記第２の実施の形態の混構造式建物と異なる点は、建物ユニット１の上面に建物ユニット１を直接設け、建物ユニット１，１間でかつ１階の建物ユニット１，１の天井梁３，３間に、鉄筋コンクリートスラブ１１が設けられている点である。その他の構成は、第２の実施の形態と同一であるため、同一符号を付してその説明を省略する。
【００５１】
本実施の形態によれば、２階のリビング等の居室等の天井を高くできるという利点がある。
【符号の説明】
【００５４】
１     建物本体
１Ｂ   屋根ユニット
２     柱
３     天井梁
３ａ   長辺天井梁
３ｂ   短辺天井梁
４     床梁
４ａ   長辺床梁
４ｂ   短辺床梁
５     天井小梁
６     天井板
７     根太
８     床板
９     柱頭接合部材
９ａ，１０ａ，３１ａ・・・  貫通孔
１０   柱脚接合部材
１１，１２    鉄筋コンクリートスラブ
１１ａ フレーム
１３   基礎
１４ａ ボルト
１４ｂ ナット
１５   仮梁
１６   床型枠
１８   スラブ筋
１９   コンクリート
３０   嵩上ユニット
３１   嵩上部材
３２   連結梁
３３ａ 連結ボルト
３３ｂ ナット
１００ 混構造式建物
【図１】
0005643141.tif 000002
【図２】
0005643141.tif 000003
【図３】
0005643141.tif 000004
【図４】
0005643141.tif 000005
【図５】
0005643141.tif 000006
【図６】
0005643141.tif 000007
【図７】
0005643141.tif 000008
【図８】
0005643141.tif 000009
【図９】
0005643141.tif 000010
【図１０】
0005643141.tif 000011